(57)【要約】      （修正有）【課題】すぐに捨てられずに長く保存されることが期待され、有効な広告効果を付与することができる広告媒体を提供する。【解決手段】基材１１の表面に、広告表示部１２を印刷し、広告表示部以外の位置に、基材の表裏を貫通する貫通孔１３を設けるとともに、貫通孔の周りを着色した着色部１４を設ける。貫通孔が、広告表示部の左上部に１つ、又は、左側部に複数個設けられている。また、広告表示部の一部を覆うように被覆部材が設けられ、広告表示部には、着色部に着色した色と同じ色の着色部が設けられている。【選択図】図１
0003175561.tif 000002
【実用新案登録請求の範囲】
【請求項１】
基材（１１）の表面に、広告表示部（１２）を印刷し、
前記広告表示部（１２）以外の位置に、該基材（１１）の表裏を貫通する貫通孔１３を設けるとともに、
該貫通孔（１３）の周りを着色した着色部（１４）を設けたことを特徴をする広告媒体（１０）。
【請求項２】
前記貫通孔（１３）が、広告表示部（１２）の左上部に１つ設けられていることを特徴とする請求項１に記載の広告媒体（１０）。
【請求項３】
前記貫通孔（１３）が、広告表示部（１２）の左側部に複数個設けられていることを特徴とする請求項１に記載の広告媒体（１０）。
【請求項４】
前記広告表示部（１２）の一部を覆うように被覆部材（３５）が設けられていることを特徴とする請求項１〜３のいずれかに記載の広告媒体（１０）。
【請求項５】
前記被覆部材（３５）で覆われた広告表示部には、前記着色部（１４）に着色した色と同じ色の着色部（３６）が設けられていることを特徴とする請求項４に記載の広告媒体（１０）。
【考案の詳細な説明】
【技術分野】
【０００１】
本考案は、基材の広告表示部でない位置に、１つ又は複数個の貫通孔を開け、その貫通孔の周りを着色してなる広告媒体に関するものである。
【背景技術】
【０００２】
従来より、チラシである広告媒体は、新聞に折り込まれて配布されたり、配達員によって直接手渡しされたりして、消費者にとっては商品やサービスに関する身近な情報を得るための重要なツールになっている。このような、広告媒体には、クーポン券を印刷したものや両面に広告宣伝情報を掲載したものなどがある。
【先行技術文献】
【特許文献】
【０００３】
【特許文献１】登録実用新案第３０４４０５５号
【考案の概要】
【考案が解決しようとする課題】
【０００４】
前記特許文献１掲載の考案には、クーポン券の表示領域を大きくして、需要者に対するインパクトを向上させるチラシ広告が提案されている。広告紙上に、地図表示領域とクーポン券表示領域とを設け、地図表示領域には、地図と、各広告主の所在地を示す番号を印刷し、クーポン券表示領域には、複数のクーポン券を並べて印刷して、広告紙面の１／２以上の面積を占めさせ、クーポン券には、地図上の番号に対応する広告主の識別番号、金額の表示、広告主の名称を印刷している。
消費者は、各クーポン券の広告主の店舗を、番号と地図との対照で知り、店舗に到達する。クーポン券の表示領域が広くて目立つので、その特典に誘われて購買意欲が増進される。共同広告で、各人の費用負担が小さく、広告が出しやすいので、販売促進につなげやすい、というチラシ広告が提案されていた。
しかしながら、上記した従来のチラシは、クーポン券を印刷したり両面を使用するなどの工夫を凝らしたものも含めて日々大量に配布されるため、消費者は、ちらっとみただけですぐに捨てられてしまう。このため、有効な販促効果が得られないという問題点がある。
【０００５】
本考案は上記問題点を解決するもので、貫通孔の周りを着色した着色部が、挿入ピンを通す位置を分かり易く示す効果があるとともに、消費者が広告媒体を捨てることなく保存するよう促すことが可能である広告媒体を提供することを目的とする。
【課題を解決するための手段】
【０００６】
（１）本考案の広告媒体は、基材の表面に、広告表示部を印刷し、前記広告表示部以外の位置に、該基材の表裏を貫通する貫通孔を設けるとともに、該貫通孔の周りを着色した着色部を設けたことを特徴をする。
（２）本考案の広告媒体は、前記貫通孔が、広告表示部の左上部に１つ設けられていることを特徴とする。
（３）本考案の広告媒体は、前記貫通孔が、広告表示部の左側部に複数個設けられていることを特徴とする。
（４）本考案の広告媒体は、前記広告表示部の一部を覆うように被覆部材が設けられていることを特徴とする。
（５）本考案の広告媒体は、前記被覆部材で覆われた広告表示部には、前記着色部に着色した色と同じ色の着色部が設けられていることを特徴とする。
【考案の効果】
【０００７】
本考案の広告媒体は、次の効果がある。すなわち、この広告媒体は、従来の広告用紙等と異なり、捨てられることはなく持ち帰って保存され易くする、また、貫通孔の周りを着色した着色部が、挿入ピンを通す位置を分かり易く示す効果があるとともに、消費者が広告媒体を捨てることなく保存するよう促す効果もある。
【図面の簡単な説明】
【０００８】
【図１】本考案の実施例１の広告媒体を説明した平面図である。
【図２】本考案の実施例２の広告媒体を説明した平面図である。
【図３】本考案の実施例３の広告媒体を説明した平面図である。
【考案を実施するための形態】
【０００９】
以下、図面に基づき、考案を実施するための形態を説明する。
図１乃至図３は、本考案の実施例の広告媒体を説明する平面図である。
以下、本考案の実施例を図面に基づいて詳細に説明する。
【実施例１】
【００１０】
図１に示す広告媒体１０は、基材１１の表面に、広告表示部１２（破線で示す）が印刷され、広告表示部１２以外の位置に、基材１１の表裏を貫通する貫通孔１３が設けられるとともに、貫通孔１３の周りを着色した着色部１４が設けられている。
また、前記広告表示部１２には、広告主の情報や広告内容が表示されている。
例えば、広告表示部１２は、例えば広告主が牛乳販売店の場合は、牛乳販売店「○○牛乳店」で提供する代表的な商品である「△△ミルク」の広告写真を載せた商品サンプル、その商品名「△△ミルク」を掲載した商品名、店舗名称「○○牛乳店」、店舗住所「□□市◎◎町」、電話番号「０・・−・・・−・・・・」などが印刷されている。
【００１１】
図１の広告媒体１０には、貫通孔１３が、広告表示部１２の左上部に１つ設けられている。これにより、実施例１の広告媒体１０は、貫通孔１３に１本の挿入ピンに通すだけで容易に保存することができ、捨てられることがない。
貫通孔１３の大きさ（孔径）は挿入ピンの外径よりも大きめにすることによって、挿入ピンに入れやすくすることができる。
なお、図１では、貫通孔１３が、広告表示部１２の左上部に１つ設けられているが、広告表示部１２の右上部や左右下部に１つ設けられていてもよい。
【００１２】
本考案において、挿入ピンとは、保存バインダなどに突出して設けられたピンなどを意味する。保存バインダとは、例えば、クリアーホルダー類などのプラスチックあるいはビニール等のシートを２枚重ねて周囲の一部を綴じ合わせ、開口部からシートの間に書類を挟んで使用するもので、クリアーホルダーやクリアーファイルを指すものである。
【００１３】
また、貫通孔１３の周りを着色した着色部１４は、挿入ピンを通す位置を分かり易く示す効果があるとともに、消費者が広告媒体１０を捨てることなく保存するよう促す効果もある。
なお、図１の広告媒体１０には、貫通孔１３が、広告表示部１２の左上部に１つ設けられているが、これらの貫通孔１３の周りを着色した着色部１４の色は、同じでもよく異なっていてもよい。異なった色とすることにより、さらに広告効果が増す。
【００１４】
また、広告媒体１０を配布するたびに着色部１４の色を変えることで、何月に配られた広告媒体かが容易に分かる。同じ店舗の広告媒体を同じ色にすることで、店舗名の区別がされやすく、広告効果が増す。
さらに、着色部１４内に、文字（例えば実用新案登録番号）や記号を表示することもでき、これによりさらに広告効果が増す。
【００１５】
なお、図１には縦長四角状の基材１１の表面に広告表示部１２を印刷した実施例を示しているが、広告表示部１２は裏面に印刷することも可能である。この場合の裏面の着色部１４の色は、表面と同じでもよく異なっていてもよい。異なった色とすることにより、さらに広告効果が増す。
【実施例２】
【００１６】
図２は、実施例２の広告媒体２０を説明した平面図である。
実施例２の広告媒体２０は、基材２１の表面に、広告表示部２２（破線で示す）が印刷され、広告表示部２２以外の位置に、基材２１の表裏を貫通する貫通孔２３が設けられるとともに、貫通孔２３の周りを着色した着色部２４が設けられている点で実施例１の広告媒体と同様であるが、貫通孔２３が、広告表示部２２の左側部に２つ設けられている点で実施例１の広告媒体と異なっている。
これにより、実施例２の広告媒体２０は、貫通孔２３に２本の挿入ピンを通すことにより保存することができ、捨てられることがない。
なお、実施例２の貫通孔は２つであるが、広告媒体２０の左側部に３つ以上設けることもできる。
【実施例３】
【００１７】
図３は、実施例３の広告媒体３０を説明した平面図である。
実施例３の広告媒体３０は、基材３１の表面に、広告表示部３２（破線で示す）が印刷され、広告表示部３２以外の位置に、基材３１の表裏を貫通する貫通孔３３が設けられるとともに、貫通孔３３の周りを着色した着色部３４が設けられている点で実施例１の広告媒体と同様であるが、広告表示部３２の一部を覆うように被覆部材３５が設けられている点で実施例１の広告媒体と異なっている。
これにより、実施例３の広告媒体３０は、貫通孔３３に挿入ピンを通すだけで保存することができ捨てられることがないという効果を奏するとともに、広告表示部３２の一部を覆った被覆部材３５を剥がすことにより、被覆部材３５の下に隠された広告表示部を露出させることができる。
例えば、被覆部材３５で覆われた広告表示部に、着色部３４に着色した色と同じ色の着色部３６を設けることにより、当たりなどのゲーム性を付加することもできる。
また、被覆部材３５で覆われた広告表示部に香料を含浸させておき、被覆部材３５を剥がしたときに香料を発散させ、臭覚による広告効果を付与することもできる。
【００１８】
以上、本考案の実施例を図面により説明してきたが、具体的な構成がこれら実施例に限られたものでなく、本考案の要旨を逸脱しない範囲における変更や追加があっても本考案に含まれる。
例えば、実施例で説明した広告媒体として、配布用の立体型や異形型の広告媒体も本考案に含まれる。
【符号の説明】
【００１９】
１０：広告媒体
１１：基材
１２：広告表示部
１３：貫通孔
１４：着色部
２０：広告媒体
２１：基材
２２：広告表示部
２３：貫通孔
２４：着色部
３０：広告媒体
３１：基材
３２：広告表示部
３３：貫通孔
３４：着色部
３５：被覆部材
３６：着色部
【図１】
0003175561.tif 000003
【図２】
0003175561.tif 000004
【図３】
0003175561.tif 000005